(57)【要約】【課題】部屋を清潔に保つことができ、ペットへの安全性が高く、さらにペットの健康チェックがしやすいペット用トイレ材を提供する。【解決手段】短冊状またはテープ状の複数の紙片１１を絡ませて成る。紙片１１は、２１ｃｍ×２９．７ｃｍの大きさの白色上質紙１０枚〜１５枚をシュレッダーにより幅３．５ｍｍ〜５ｍｍ、長さ２９．７ｃｍのテープ状に裁断して作ることができる。その上質紙には、吸水性の感触が良い材質のものを用いる。裁断前の上質紙には、天然素材のペットへの安全性の高い抗菌・消臭剤を染み込ませておく。各紙片１１は、それぞれが絡み合うようにする。【選択図】図１
0003125019.tif 000002
【実用新案登録請求の範囲】
【請求項１】
短冊状またはテープ状の複数の紙片を絡ませて成ることを特徴とするペット用トイレ材。
【考案の詳細な説明】
【技術分野】
【０００１】
本考案は、ネコなどのペットのフンや尿を処理するためのペット用トイレ材に関する。
【背景技術】
【０００２】
従来のペット用トイレ材として、水膨潤性粘土鉱物の粒状成形体から成るものがある（例えば、特許文献１参照）。また、再生紙原料、セラミック炭、高吸収性ポリマーおよびグアガムの混合物を多孔質粒状体に造粒して成るものもある（例えば、特許文献２参照）。
【０００３】
【特許文献１】特開２００６−４２７９８号公報
【特許文献２】特開平８−１７２９６４号公報
【考案の開示】
【考案が解決しようとする課題】
【０００４】
しかしながら、特許文献１、２記載のものなど従来のペット用トイレ材は、種々の材質のものがあるが、いずれも砂状または粒状の形状のため、埃が立ちやすく、部屋を汚しやすいという課題があった。このため、常に換気が必要となり、電気代が嵩まざるをえなかった。また、砂状または粒状のペット用トイレ材は、ネコなどのペットの足の裏に付着しやすく、散らばって周辺を汚しやすいという課題があった。
【０００５】
さらに、従来のペット用トイレ材は、砂状に造粒させるために薬剤を添加してあり、ネコなどのペットにアレルギーその他の害になるおそれがある。特に、使用の際に、ペット用トイレ材がペットの陰部に触れることにより、粘膜に炎症を与えることが考えられる。
また、従来のペット用トイレ材は、尿により固まって処理するようになっているので、尿の色や量、ニオイ等のチェックや採尿が難しく、ペットの健康チェックがしにくいという課題があった。
【０００６】
本考案は、このような課題に着目してなされたもので、部屋を清潔に保つことができ、ペットへの安全性が高く、さらにペットの健康チェックがしやすいペット用トイレ材を提供することを目的とする。
【課題を解決するための手段】
【０００７】
上記目的を達成するために、本考案に係るペット用トイレ材は、短冊状またはテープ状の複数の紙片を絡ませて成ることを特徴とする。
【０００８】
紙片は、新聞紙、コピー用紙などの古紙により安価に製造してもよいが、ペットの尿の色の確認を容易にするため、白紙から成ることが好ましい。紙片は、幅２ｍｍ〜２ｃｍ、長さ５ｃｍ〜１ｍの範囲のものが好ましく、特に、幅３．５ｍｍ〜５ｍｍ、長さ２５ｃｍ〜３０ｃｍの範囲のものが好ましい。その範囲の幅、長さの場合、紙片が周辺に散らばりにくく、周囲を汚しにくい。
【０００９】
紙片は、ペットの尿を吸収しやすい材質から成ることが好ましい。また、紙片は、柔らかく、絡まりやすいものが好ましい。そのような材質の紙としては、一般のコピー用紙、上質紙を用いることができる。
紙片には、抗菌・消臭剤を含ませておくことが好ましい。この場合、抗菌・消臭剤は、天然素材のペットに安全なものが好ましい。
【００１０】
本考案に係るペット用トイレ材は、ペット用トイレの中に入れて使用される。ペット用トイレには、底部にすのこ状の隙間のある容器をトレーの上に載せて成るものが適している。その上にペットの排泄後、フンや尿が付着したならば、廃棄し、新しいものと交換する。本考案に係るペット用トイレ材は、ネコ、イヌ、モルモット、ウサギ、ハムスター、その他の小動物に適しているが、ネコに特に適している。
【００１１】
本考案に係るペット用トイレ材は、短冊状またはテープ状の複数の紙片を絡ませて成るため、砂状または粒状のものと異なり、埃が立たず、また、ネコなどのペットの足の裏に付着しにくく散らばりにくいので、部屋を清潔に保つことができる。
特に、ネコが使用する場合、排泄物を隠そうとする習性で紙片を足で掻く動作をしても、紙片が相互に絡み合っているため、トイレの外に散らばりにくい。また、絡まり合った紙片に排泄物が包まれて外から見えなくなるので、排泄による不快感を軽減することができる。さらに、紙片が絡まり合うことにより、適度の弾力性がでるので、全体がふっくらとし、排尿での濡れを少なくすることができる。
【００１２】
また、本考案に係るペット用トイレ材は、造粒用の薬剤を使用しないため、ネコなどのペットにアレルギーその他の害を及ぼさない。
さらに、尿が付着した状態を観察することができるので、尿の色や量、ニオイ等をチェックし、ペットの健康チェックがしやすい。特に、白紙から成る場合には、尿の色の確認がしやすい。
このように、本考案に係るペット用トイレ材は、病弱なネコ、その他の小動物の健康管理に適している。
【考案の効果】
【００１３】
本考案によれば、部屋を清潔に保つことができ、ペットへの安全性が高く、さらにペットの健康チェックがしやすいペット用トイレ材を提供することができる。
【考案を実施するための最良の形態】
【００１４】
以下、図面に基づき本考案の実施の形態について説明する。
図１は、本考案の実施の形態のペット用トイレ材を示している。
図１に示すように、ペット用トイレ材１は、短冊状またはテープ状の複数の紙片１１を絡ませて成っている。紙片１１は、２１ｃｍ×２９．７ｃｍの大きさの白色上質紙１０枚〜１５枚をシュレッダーにより幅３．５ｍｍ〜５ｍｍ、長さ２９．７ｃｍのテープ状に裁断して作ることができる。その上質紙には、吸水性の感触が良い材質のものを用いる。裁断前の上質紙には、天然素材のペットへの安全性の高い抗菌・消臭剤を染み込ませておく。各紙片１１は、それぞれが絡み合うようにする。
【００１５】
ペット用トイレ材１は、ペット用トイレ２の中にふかふかになるように敷くだけで使用することができ、取扱いが簡単である。ペット用トイレ２は、底部にすのこ状の隙間のある容器２１と、その容器２１を載せるトレー２２とから成っている。トレー２２には、シート状の尿吸収材を敷いておいてもよい。ペット用トイレ材１は、シート状の尿吸収材と併用することができる。
【００１６】
ペット用トイレ材１は、その上にネコが排泄した後、便の状況をチェックし、フンや尿が付着したものは廃棄し、新しいものと交換する。ペット用トイレ材１は紙から成るので、燃えるごみとして処理することができる。トレー２２には、容器２１の底部の隙間を通って流れた尿がたまる。尿はチェックした後、捨てる。トレー２２は、排便の都度、水洗いし、清潔に保つ。ペット用トイレ２の使用により、フンと尿が分離されるので、フン尿の状況（形、色、量、においなど）のチェックが一目ででき、これまで難しかった検便・採尿も簡単にできる。このため、ネコの健康管理が容易である。
【００１７】
ペット用トイレ材１は、吸水性の感触が良い材質の紙から成るので、排泄の時、ネコの不快感を軽減させることができる。
このペット用トイレ材１は、短冊状またはテープ状の複数の紙片１１を絡ませて成るため、砂状または粒状のものと異なり、埃が立たず、また、ネコの足の裏に付着しにくく散らばりにくいので、部屋を清潔に保つことができる。そのため、換気の必要もないので、電気代もかからず、きれいな環境を保つことができる。ネコの足の裏に付着しにくいことから、ネコの不快感も軽減させることができる。
【００１８】
特に、ネコがフンを隠そうとする習性で紙片１１を足で掻く動作をしても、紙片１１が相互に絡み合っているため、トイレ２の外に散らばりにくい。また、絡まり合った紙片１１にフンが包まれて外から見えなくなるので、排泄による不快感を軽減することができる。さらに、フンが絡まり合った紙片１１に包まれるので、においの発散を軽減できる。また、尿はトレー２２で受けられ、トレー２２の上の容器２１にはペット用トイレ材１が敷かれているので、容器２１の隙間を通して上る尿のにおいをペット用トイレ材１が吸着し、においが外部に漏れるのを軽減することができる。これにより、防臭効果が高められている。
さらに、紙片１１が絡まり合うことにより、適度の弾力性がでるので、全体がふっくらとし、排尿での濡れを少なくすることができる。
【００１９】
また、このペット用トイレ材１は、造粒用の薬剤を使用しないため、ネコにアレルギーその他の害を及ぼさない。ペット用トイレ材１には、抗菌・消臭剤を染み込ませてあるので、衛生的であり、安全性の高いものの使用により、ペットへの害がない。
【００２０】
さらに、尿が付着した状態を観察することができるので、尿の色や量、ニオイ等をチェックし、ネコの健康チェックがしやすい。特に、紙片１１が白紙から成るため、フンや尿の色や状況の確認がしやすい。これにより、ネコの異常の早期発見が可能となる。
このように、このペット用トイレ材１は、病弱なネコの健康管理に適しており、ネコにも人にも自然にも優しい商品となる。
【図面の簡単な説明】
【００２１】
【図１】本考案の実施の形態のペット用トイレ材をペット用トイレに入れた使用状態を示す斜視図である。
【符号の説明】
【００２２】
１    ペット用トイレ材
１１  紙片
２    ペット用トイレ
２１  容器
２２  トレー
【図１】
0003125019.tif 000003